(57)【要約】【課題】隣接する部屋を仕切る建具であって、インテリアスタイルの異なる隣接した室内空間に対しであっても夫々のインテリアスタイルに適応し得る自由度が高く、且つ視線の調整をし易くする。【解決手段】建具１は、框２，桟３及びこれらの框，桟の間に取り付けられる鏡板４とによって構成され、鏡板４が２枚の透明性を有する透明平板４ａによって構成される。また２個所又は２個所以上の取付空間５を形成すると共に該取付空間５の数と等しい数の透明平板４ａと、透明性を有することのない不透明平板４ｂとを有し、透明平板４ａと不透明平板４ｂを選択して取付空間５に着脱可能に取り付ける。【選択図】       図１
2006089965.tif 000002
【特許請求の範囲】
【請求項１】
框，桟及びこれらの框，桟の間に取り付けられる鏡板とによって構成された建具であって、前記鏡板が建具の表裏方向に配置された２枚の透明性を有する透明平板からなることを特徴とする建具。
【請求項２】
框及び桟によって２個所又は２個所以上の鏡板の取付空間が形成された建具であって、鏡板の取付空間の数と等しい数の透明性を有する透明平板と透明性を有することのない不透明平板とを有し、前記透明平板と不透明平板を選択して前記鏡板の取付空間に対し着脱可能に取り付けたことを特徴とする建具。
【発明の詳細な説明】
【技術分野】
【０００１】
本発明は、框と桟及び鏡板からなる建具に関し、特に、建具を配した両側の空間が互いに見通せるようにした建具と、建具を配した両側の空間を選択的に見通し可能に或いは見通し不能にした建具とに関するものである。
【背景技術】
【０００２】
最近の住宅では、部屋相互の間を固定された間仕切壁で仕切らずに、透明或いは半透明の板材を組み込んだ引き違い戸で仕切るようなことが増えてきている。このような引き違い戸を用いた場合、建具を開放して複数の部屋を連ねた大空間として使用し、或いは必要に応じて複数の部屋に仕切って使用することが可能であり、高い自由度を持って屋内空間を使用することが出来る。また仕切った状態であっても、採光が得られたり、子供の様子を伺えるという利点もある。
【０００３】
一方、特許文献１に記載された建具が提案されている。この建具は、パネル枠体の開口に両面に異なる模様が施された一対の鏡板を着脱自在に取り付けるように構成されたものである。この建具では、鏡板を交換することによって、視線の調整や異なる模様を表現することが可能である。
【０００４】
【特許文献１】実開昭６３−１７４２９１号公報
【発明の開示】
【発明が解決しようとする課題】
【０００５】
屋内を引き違い戸で仕切って構成した子供部屋では子供の成長に応じて、或いは構成した部屋の用途によっては、視線を遮る必要が生じる。しかし、上記透明或いは半透明の板材を組み込んだ引き違い戸のような建具では、この要求に対応することが困難であり、カーテンやスクリーンを設けて目隠しをすることが必要となるという問題がある。
【０００６】
建具は表面と裏面とが同一の材質，仕上げ，色で構成されており、隣接する室内空間のインテリアスタイルが異なるような場合、この室内空間を仕切る建具は何れか一方のインテリアスタイルに合わせることとなり、他方の室内空間のインテリアスタイルとの不調和を生じるという問題がある。
【０００７】
また引き違い戸で仕切ることによって壁面が減少することとなり、絵画やカレンダー或いは写真等の掲示面を確保することが困難になるという問題もある。この問題及び前述の問題は、建具として特許文献１に記載された技術を適用することで解決し得る。即ち、この技術では一対の鏡板が交換自在に構成されているため、該鏡板を交換することによって両面の模様を変えることが可能であるが、交換する鏡板はある程度の強度が必要であり、例えば紙のような素材は採用し得ないため、選択の自由度が小さいという問題がある。またこの技術では、壁面の代用として写真等を貼り付けたり、挟み込むという機能はない。
【０００８】
本発明の目的は、視線の調整がし易く、且つインテリアスタイルの異なる隣接した室内空間に対しであっても夫々のインテリアスタイルに適応し得る自由度が高く、更に、壁面の代用となる掲示面を確保し得る建具を提供することにある。
【課題を解決するための手段】
【０００９】
上記課題を解決するために本発明に係る第１の建具は、框，桟及びこれらの框，桟の間に取り付けられる鏡板とによって構成された建具であって、前記鏡板が建具の表裏方向に配置された２枚の透明性を有する透明平板からなるものである。
【００１０】
また本発明に係る第２の建具は、框及び桟によって２個所又は２個所以上の鏡板の取付空間が形成された建具であって、鏡板の取付空間の数と等しい数の透明性を有する透明平板と透明性を有することのない不透明平板とを有し、前記透明平板と不透明平板を選択して前記鏡板の取付空間に対し着脱可能に取り付けたものである。
【発明の効果】
【００１１】
上記第１の建具では、框，桟及び鏡板によって構成される建具に於ける鏡板が２枚の透明平板によって構成されるため、この状態で仕切ることで隣接する部屋を互いに見通せるようにしたり、２枚の透明平板の間に不透明或いは半透明の薄手のシート状或いはフィルム状のものを挟み込むことによって視線を遮るようにするなどして、視線の調整をすることが出来る。
【００１２】
また隣接する各部屋のインテリアスタイルが異なる場合であっても、夫々のインテリアスタイルに対応した素材や柄の壁紙，布等を２枚の透明平板の間に挟み込むことによって、容易に調和をとることが出来る。
【００１３】
更に、壁面の代用として２枚の透明平板の間に絵画，ポスター，写真，賞状等を挟み込んで掲示をすることが出来る。
【００１４】
また第２の建具では、鏡板の取付空間が２個所以上形成されており、これらの取付空間には透明平板と不透明平板とを選択的に取り付けることが出来るため、例えば、鏡板の取付空間が偶数個所形成されている場合、半数の取付空間に２枚の透明平板を取り付け、残りの半数の取付空間には２枚の不透明平板を取り付けると、一方の取付空間を利用して隣接する部屋を互いに見通すことが出来、他方の取付空間を利用して間仕切とすることが出来る。また各取付空間に１枚の透明平板と１枚の不透明平板を組み合わせて取り付けることで、隣接する部屋の見通しを遮断してプライバシーを確保することが出来る。このように、特別な視線の遮蔽用のシート状の物品を用いることなく、単に鏡板を構成する透明平板と不透明平板との組み合わせを選択することによって視線の調整を行うことが出来る。
【００１５】
また取付空間に、透明平板を取り付けた側の部屋のインテリアスタイルに対応した素材や柄の壁紙や布等を挟み込むことで、インテリアスタイルの調和をとることが出来る。また、一方の取付空間に取り付けた２枚の透明平板の間に絵画やポスター，写真，賞状等を選択して挟み込むことで、これらの掲示面として利用することが出来る。
【発明を実施するための最良の形態】
【００１６】
以下、本発明に係る建具の最も好ましい形態について説明する。本発明の建具は、框と桟と鏡板とからなり、隣接する部屋の間仕切りとして利用し、或いは隣接する部屋を連続させた空間とするように利用し得るものである。特に、閉めきったとき、隣接する部屋どうしを互いに見通すことを可能とし、或いは夫々の部屋側の面に所望の意匠を施すことが可能なようにしたものである。
【００１７】
特に、本発明に係る第１の建具は、鏡板を透明な２枚の透明平板によって構成することで、隣接する部屋どうしの見通しを確保することを可能とし、一方が子供部屋であるような場合、子供の自立をはかりつつ、親の目を行き届かせるようにしたものである。また、子供の成長に伴って、透明平板の間にシート状の物品を挟み込んで、視線を遮蔽してプライバシーを確保したり、各部屋の壁紙と同じデザインの壁紙を挟んだり、更に、布やレース或いは色付のセロファン等のフィルム状の物品を挟み込むことを可能とし、挟み込まれた物品を互いの部屋のインテリアとして機能させたり、絵画，写真，ポスター等の掲示面とすることを可能としたものである。
【００１８】
また本発明に係る第２の建具は、２個所、或いはそれ以上の鏡板の取付空間を設けると共に、取付空間の数と等しい数の透明平板と不透明平板を有し、これらの透明平板，不透明平板を選択して取付空間に取り付けるようにしたものであり、取付空間に２枚の透明平板を組み合わせて取り付けた場合には、隣接する部屋どうしの見通しを確保することを可能とし、鏡板の組み合わせを変更し、２枚のうち少なくとも１枚を不透明平板とした場合には、隣接する部屋どうしの見通しを遮断することを可能としたものである。
【００１９】
このため、一方の部屋が子供部屋であるような場合、子供が小さいときには互いの部屋の見通しを確保し、子供の成長に伴って互いの部屋のプライバシーを確保することが可能となる。
【００２０】
本発明の建具に於いて、框や桟の構造や材質を特に限定するものではないが、建具自体が自己主張することなく、隣接する各部屋のインテリアスタイルに適応し易いものであることが好ましい。このため、框や桟は細いことが好ましく、且つ細くとも充分な強度を有する材料によって構成されたものであることが好ましい。
【００２１】
このような建具としては、軽量で且つ充分な強度を得ることが可能なアルミニウムを素材として構成したものがある。特に、アルミニウムを素材とした建具で、素材の色をそのままで表面処理を施したものであることが好ましい。このような建具では、色がシルバーで、框や桟の太さが細く、各部屋のインテリアスタイルに対して適応することが可能である。
【００２２】
第１の建具の鏡板は、２枚の透明で透過性を有する透明平板によって構成されている。このように、透明平板は透明であることが必要であり、材質等を限定するものではない。しかし、一方の部屋が子供部屋であるような場合、鏡板には子供がぶつかるなどして面外方向の力が作用する虞があり、作用する虞のある面外方向の力に対して強度を有することが好ましいこともある。このような強度を持った透明な平板としては、アクリル板やポリカーボネート板等の透明な合成樹脂板、或いはガラス板等があり、これらを選択的に用いることが好ましい。また、鏡板を構成する一方の平板に強度を持たせ（所定の強度を有する厚さや材質にして）、他方の平板をあまり強度を有しない（薄く、軽い）ものとしても良い。
【００２３】
また第２の建具の鏡板は、透明で透過性を持った透明平板と、不透明で透過性を有することのない不透明平板とによって構成される。この鏡板であっても、例えば一方の部屋が子供部屋であるような場合、面外方向の力が作用する虞がある。このため、透明平板としては第１の建具と同様に、アクリル板やポリカーボネート板等の透明な合成樹脂板、或いはガラス板等を選択的に用いること好ましい。
【００２４】
また鏡板を構成する不透明平板は、不透明であれば良く、特に材質を限定するものではない。このような不透明平板としては、不透明な合成樹脂板、金属板、合板等がある。
【００２５】
第２の建具に於いて、鏡板を構成する複数の透明平板及び不透明平板の寸法は同一であることが好ましい。このように、透明平板，不透明平板の寸法を同一寸法とすることによって、建具に形成された２個所又はそれ以上の取付空間に対する互換性が向上し、選択の自由度を向上することが可能となる。建具に於ける鏡板の取付部分の寸法は、框と桟とによって構成された開口部の寸法ではなく、透明平板，不透明平板が嵌め込まれる部位の寸法である。
【００２６】
第１の建具に於ける２枚の透明平板、第２の建具に於ける２枚の透明平板或いは１枚の透明平板と１枚の不透明平板の間に挟み込むシート状或いはフィルム状の物品の種類や枚数は全く限定するものではなく、これらの平板の間に挟み込んで建具に取り付けて透明平板を通して見たとき、少なくとも部屋に居住する者が、美を感じたり、インテリアスタイルの調和がとれていると感じるものや、居住者が掲示したいものであれば良い。従って、前記物品としては、壁紙，レース，セロファン，布，絵画，ポスター，写真，カレンダー，賞状等があり、且つ雑誌の切り抜きやレコードジャケット等もある。
【００２７】
上記の如き物品を２枚の平板の間に挟む場合、平板を水平にして位置を決めることになるが、単に、平板に挟んだままで該平板を垂直にしたとき、物品がズリ落ちる虞がある。このため、挟むべき物品を２枚の平板で挟んだ後、この平板をクリップでしっかりと抑えることでずり落ちを防止し得るようにすることが好ましい。従って、２枚の平板の間にシート状，フィルム状の物品を挟んでクリップによって抑えた状態を維持して建具に取り付けるように構成することが好ましい。
【００２８】
上記の如く、２枚の平板の間に挟むシート状或いはフィルム状の物品は厚さが一義的に設定されるものではない。このため、２枚の平板を框と桟の間に嵌め込んだ後、これらを固定する押縁は、前記厚みの変化に対応し得るように構成されたものであることが好ましい。押縁をこのように構成することで、２枚の平板の間になんら物品を挟み込んでいない状態から、かなりの厚さ（約１ｍｍ程度までであることが好ましい）を持った物品を挟んだ状態までの間で、これら２枚の平板を安定した状態で取り付けておくことが可能となる。
【００２９】
押縁は、上記の如く２枚の平板の厚さの変化に対応し得る構成であれば良く、構造を限定するものではない。例えば、押縁の平板側の面にモヘアを取り付けておくことで良く、また充分な弾力性を持った樹脂或いはゴムからなるパッキンや、板バネ等を介在させておいても良く、更には、押縁自体を弾力性を持った樹脂或いはゴムによって構成しても良い。
【実施例１】
【００３０】
次に、本発明の実施例について図を用いて説明する。図１は本実施例に係る建具の四面図である。図２は図１の断面図である。図３は鏡板を保持する押縁の構造を説明する図である。
【００３１】
図に示す建具１は、框２と、桟３と、鏡板４（４ａ，４ｂ）とによって構成されている。框２は、一対の縦框２ａと上下の横框２ｂを有しており、縦框２ａを横断する方向に設けた３本の桟３によって、鏡板４を取り付けるための４つの取付空間５が形成されている。本実施例では、框２及び桟３はアルミニウムの押出成形材によって構成されており、縦框２ａ，横框２ｂ及び桟３に対応する部材を図示しないビス等によって固定することで、建具１の枠体が構成されると共に取付空間５が形成されている。
【００３２】
各取付空間５の縦方向及び横方向の寸法は全て同じ寸法を持って形成されており、鏡板４は透明平板４ａと、不透明平板４ｂとからなり、夫々の平板４ａ，４ｂは、前記取付空間５の寸法よりも僅かに小さい寸法を持って形成されている。また取付空間５の周囲には押縁６が配置されており、これらの押縁６は図示しないビス等によって框２，桟３に対し着脱可能に取り付けることが可能なように構成されている。
【００３３】
本実施例に於いて、押縁６は、取付空間５の周囲であって建具１の両面に配置され、夫々の押縁が框２，桟３に着脱し得るように取り付けられているが、必ずしもこの構成に限定するものではなく、框２，桟３を構成する押出成形材の一方側に突起状の部分を形成しておき、この突起部分を押縁として利用し得るようにしても良い。
【００３４】
鏡板４を構成する透明平板４ａ及び不透明平板４ｂの厚さは特に限定するものではないが、本実施例では約３ｍｍ程度の厚さのものを用いている。この程度の厚さを持った、例えばアクリル板やポリカーボネート板，ガラス板等の透明平板４ａや、合成樹脂板，金属板，合板等の不透明平板４ｂでは、面外方向の力に対して高い強度を発揮することが可能である。
【００３５】
取付空間５の厚さ、即ち、一対の押縁６の内法寸法は、鏡板４の厚さに対応して設定される。特に、鏡板４を２枚の透明平板４ａによって構成し、或いは１枚の透明平板４ａと１枚の不透明平板４ｂとによって構成し、これらの平板４ａ，４ｂの間にシート状或いはフィルム状の物品を挟み込む場合を想定しておくことが好ましい。
【００３６】
本実施例では取付空間５の厚さを約７ｍｍに設定している。このため、取付空間５に物品を挟み込むことなく鏡板４を取り付けたとき、押縁６との間に約１ｍｍの隙間７が形成されることになり、この隙間７に起因して鏡板４が位置ズレを生じたり、建具１の開閉に伴ってガタツキが生じる。
【００３７】
このため、取付空間５の周囲に対する押縁６の取り付けに伴って、鏡板４を押圧してガタツキを防止し得るように構成されている。このような構造としては、例えば、図３（ａ）に示すように、押縁６の内側の面にモヘア８を配置して鏡板４を押圧する構成、同図（ｂ）に示すように、押縁６の内側に断面が四角に成形された、或いは板状のパッキン９を配置して鏡板４を押圧する構成、同図（ｃ）に示すように、押縁６の内側に自由時の湾曲幅が押縁６の幅よりも小さく且つ長尺状の板バネ１０を配置して鏡板４を押圧する構成、更に、湾曲方向が押縁の長さ方向に設定された板バネを押縁の内側に配置して鏡板を押圧する構成があり、何れも好ましく利用することが可能である。更に、押縁６自体を合成樹脂或いはゴム等の弾力性を持った材料によって形成しても良い。
【００３８】
上記の如く構成された建具１では、框２，桟３によって構成された枠体の取付空間５に、２枚の透明平板４ａ、或いは１枚の透明平板４ａと１枚の不透明平板４ｂからなる鏡板４を嵌め込み、この取付空間５の周囲に押縁６を配置して框２，桟３にビス等によって固定することで鏡板を取り付けることが可能である。
【００３９】
特に、透明平板４ａと不透明平板４ｂが、取付空間５の数と等しい枚数で、且つ該取付空間５と同じ寸法を持って形成されているため、取付空間５に対し、透明平板４ａと不透明平板４ｂを選択的に取り付けることが可能となる。
【００４０】
即ち、取付空間５に取り付ける鏡板４を、２枚の透明平板４ａを組み合わせた２組と、２枚の不透明平板４ｂを組み合わせた２組とを形成し、夫々の組を取付空間５に取り付けることで、建具１の４つの取付空間５を見通しを確保した２つの取付空間５と、見通しのきかない２つの取付空間５を形成することが可能である。この場合、隣接する部屋を互いに見通すことが可能となり、互いに家人の気配を感じたり、様子を伺うことが可能な部屋を構成することが可能となる。
【００４１】
また鏡板４を、１枚の透明平板４ａと１枚の不透明平板４ｂとを組み合わせた４組を形成し、各組を各取付空間５に取り付けることで、建具１の４つの取付空間５を全て見通しがきかない空間とし、これにより、建具１をプライバシーを確保した仕切りとして利用することが可能となる。
【００４２】
また、鏡板４を構成する透明平板４ａの間に、絵画や写真，壁紙やセロファン等のシート状の或いはフィルム状の物品を嗜好に合わせて選択して挟み込むことで、部屋から挟み込んだ物品を視認することが可能となり、該物品に応じたインテリアを構成することが可能である。
【００４３】
即ち、物品が絵画や写真或いはポスターのようなものである場合、建具１の取付空間５を構成する押縁６が額縁としての機能を発揮することとなり、この取付空間５を掲示面として利用することが可能である。また、物品がカレンダーのようなものである場合、建具１及び取付空間５を貼り付け壁面として利用することが可能である。また、物品が壁紙や布或いはレースのようなものである場合、部屋のインテリアスタイルとの調和をはかることが可能である。更に、物品が色付きのセロファンで、種々の形状に切り抜いたようなものである場合、建具１及び取付空間５を子供部屋のインテリアとすることも可能である。
【００４４】
特に、押縁６を框２，桟３から取り外すことによって、現在取り付けられている透明平板４ａ，不透明平板４ｂからなる鏡板４を取付空間５から取り外し、これらの平板４ａ，４ｂの組み合わせを交換することが可能となる。これにより、取付空間５の見通し位置や、見通し不能な位置を適宜変更することが可能となる。
【産業上の利用可能性】
【００４５】
上記の如き、本発明の建具１では、例えば一方の部屋が子供部屋であったり、両方の部屋が子供部屋であるような場合、建具１を介して部屋の見通しを確保しておくことが可能であり、且つ子供の成長に伴って部屋の見通しを遮断してプライバシーを確保し得るように構成することが可能である。このように、鏡板４の組み合わせを適宜変更することで、隣接する部屋の独立性を調整し得るため、好ましく利用することが可能となる。
【図面の簡単な説明】
【００４６】
【図１】本実施例に係る建具の四面図である。
【図２】図１のII−II断面図である。
【図３】鏡板を保持する押縁の構造を説明する図である。
【符号の説明】
【００４７】
１                        建具
２                        框
２ａ                      縦框
２ｂ                      横框
３                        桟
４                        鏡板
４ａ                      透明平板
４ｂ                      不透明平板
５                        取付空間
６                        押縁
７                        隙間
８                        モヘア
９                        パッキン
１０                      板バネ
【図１】
2006089965.tif 000003
【図２】
2006089965.tif 000004
【図３】
2006089965.tif 000005